(57)【特許請求の範囲】
【請求項１】
インキ収容筒の先端部に、ボールを回転自在に抱持したボールペンチップを装着し、前記インキ収容筒内に、油性ボールペン用インキ組成物を収容してなる油性ボールペンレフィルであって、前記油性ボールペン用インキ組成物が、着色剤、有機溶剤、分岐鎖を有する脂肪酸および／または分岐鎖を有する脂肪族アルコール、ケトン樹脂、リン酸エステル系界面活性剤、有機アミンを含んでなり、該分岐鎖を有する脂肪酸および／または脂肪族アルコールの炭素数が１６〜２０であり、前記ケトン樹脂の水酸基価が２５０（ｍｇＫＯＨ／ｇ）以上であり、前記リン酸エステル系界面活性剤のアルキル基に含まれる炭素数が１２〜１８であり、有機アミンの全アミン価が１００〜３００（ｍｇＫＯＨ/ｇ）であり、かつ、ボール表面の算術平均粗さ（Ｒａ）が３〜１３ｎｍであることを特徴とする油性ボールペンレフィル。
【請求項２】
前記油性ボールペン用インキ組成物が、顔料を含んでなることを特徴とする請求項１に記載の油性ボールペンレフィル。
【請求項３】
前記分岐鎖を有する脂肪酸および／または脂肪族アルコールが、イソアラキン酸、イソパルミチン酸、イソアラキルアルコール、イソパルミチルアルコールの中から１種以上選択されるものであることを特徴とする請求項１または２に記載の油性ボールペンレフィル。
【請求項４】
前記有機溶剤が、芳香族アルコールおよびグリコールエーテル溶剤であることを特徴とする請求項１ないし３のいずれか１項に記載の油性ボールペンレフィル。
【請求項５】
前記分岐鎖を有する脂肪酸および／または脂肪族アルコールが、イソアラキン酸および／またはイソパルミチン酸であることを特徴とする請求項１ないし４のいずれか１項に記載の油性ボールペンレフィル。
【請求項６】
請求項１ないし５のいずれか１項に記載の油性ボールペンレフィルを軸筒内に配設したことを特徴とする油性ボールペン。
【請求項７】
請求項１ないし５のいずれか１項に記載の油性ボールペンレフィルを軸筒内に摺動自在に配設し、前記ボールペンチップのチップ先端部を前記軸筒先端部から出没可能とした出没式の油性ボールペンであることを特徴とする油性ボールペン。
【発明の詳細な説明】
【技術分野】
【０００１】
本発明は油性ボールペン用インキ組成物に関し、さらに詳細としては、高筆圧筆記においても潤滑性と筆跡が良好である油性ボールペン用インキ組成物に関するものである。
【０００２】
従来より、ボールペンは他の種類の筆記具と異なり、先端にステンレス鋼などからなる金属チップと、該金属チップのボール受け座に抱持される超鋼などの金属からなる転写ボールと、からなるボールペンチップをインキ収容筒に装着した構成を有するが、筆記時にボールの回転によって、ボール座に摩耗が発生し、筆跡に線飛び、カスレなどが生じた。さらに、最近では、複写用紙に筆記する時には、通常より筆圧を高く筆記（高筆圧筆記）するため、より潤滑性を向上して、高筆圧筆記性の向上が必要とされている。
【０００３】
こうした問題を解決するため、ボールペンチップのボールとボール座との潤滑性向上を目的として、様々な潤滑剤を用いた油性ボールペン用インキ組成物が多数提案されている。
【０００４】
このような潤滑剤を用いた油性ボールペン用インキ組成物としては、アルキルβ−Ｄ−グルコシドを用いたものとしては、特開平５−３３１４０３号公報「油性ボールペンインキ」、平均分子量が２００〜４００００００であるポリエチレングリコールを用いたものとしては、特開平７−１９６９７１号公報「油性ボールペン用インキ組成物」、Ｎ−アシルアミノ酸、Ｎ−アシルメチルタウリン酸、Ｎ−アシルメチルアラニンを用いたものとしては、特開２００７−１７６９９５号公報「油性ボールペン用インキ」等に、開示されている。
【先行技術文献】
【特許文献】
【０００５】
【特許文献１】「特開平５−３３１４０３号公報」
【特許文献２】「特開平７−１９６９７１号公報」
【特許文献３】「特開２００７−１７６９９５号公報」
【発明の概要】
【発明が解決しようとする課題】
【０００６】
しかし、特許文献１〜３のような各種潤滑剤を用いた場合、ある程度の潤滑性を向上でき、ボール座の摩耗を抑制することはできたが、通常より筆圧を高く筆記する場合（高筆圧筆記）では、潤滑性が満足できるものではなく、筆跡に線飛び、カスレ等が発生してしまい、十分とは言えなかった。
【０００７】
本発明の目的は、高筆圧筆記（５００ｇ）においても潤滑性を保ち、筆跡が良好である油性ボールペン用インキ組成物を提供することである。 
【課題を解決するための手段】
【０００８】
本発明は、油性ボールペン用インキ組成物は、着色剤、有機溶剤、分岐鎖を有する脂肪酸および／または分岐鎖を有する脂肪族アルコールを含んでなり、該分岐鎖を有する脂肪酸および／または脂肪族アルコールの炭素数が１４〜２２であることを特徴とする油性ボールペン用インキ組成物とするものである。
【０００９】
また、本発明によるボールペンは、上記油性ボールペン用インキ組成物を収容してなることを特徴とするものである。
【発明の効果】
【００１０】
本発明は、高筆圧筆記（５００ｇ）においてもボールの潤滑性を保ち、ボール座の摩耗を抑制し、筆跡に線飛び、カスレがなく筆跡が良好である油性ボールペン用インキ組成物を提供することができた。
【発明を実施するための形態】
【００１１】
本発明の第一の特徴は、油性ボールペン用インキ組成物中に、炭素数が１４〜２２である分岐鎖を有する脂肪酸および／または脂肪族アルコールを含んでなる油性ボールペン用インキ組成物およびそれを用いた油性ボールペンとすることである。
【００１２】
前記炭素数が１４〜２２である分岐鎖を有する脂肪酸および／または分岐鎖を有する脂肪族アルコールは、上記数値範囲内であれば、油性インキ中で溶解安定させることができ、吸着膜を形成して、通常筆記（１００〜２００ｇ）の潤滑性だけではなく、高筆圧筆記（５００ｇ）における潤滑性を向上して、ボールの潤滑性を保ち、ボール座の摩耗を抑制し、筆跡に線飛び、カスレがなく、筆跡が良好とすることが可能とする。
【００１３】
前記炭素数が１４〜２２である分岐鎖を有する脂肪酸および／または分岐鎖を有する脂肪族アルコールについては、具体的には、イソアラキン酸、イソパルミチン酸、イソステアリン酸、イソミリスチン酸、イソアラキルアルコール、イソパルミチルアルコール、イソステアリルアルコール、イソミリスチルアルコールなどが挙げられる。具体的には、ＦＩＮＥＯＸＯＣＯＬ  １６００、同１８０、同１８０Ｎ、同１８０Ｔ、同２０００、イソパルミチン酸、イソステアリン酸、イソステアリン酸Ｎ、イソステアリン酸Ｔ、イソアラキン酸（日産化学工業（株）製）などが挙げられる。 
【００１４】
炭素数が１４〜２２である分岐鎖を有する脂肪酸および／または分岐鎖を有する脂肪族アルコールの中でも、炭素数が１６〜２０であるものを用いることが好ましい。これは、分岐鎖を有し炭素数１６以上であると、ボールペンチップのボールやチップ本体の金属表面に吸着した前記分岐鎖を有する脂肪酸および／または分岐鎖を有する脂肪族アルコールのアルキル鎖が嵩高い構造を有することで、該金属表面を覆う面積が多くなることで、金属接触を緩和し、潤滑性を向上しやすくし、高筆圧筆記（５００ｇ）における潤滑性を向上しやすくなるためで、また、分岐鎖を有し炭素数２０を越えると、嵩高過ぎる構造により、分子同士が立体的に反発するおそれがあり、金属表面への吸着を阻害し、潤滑性を損ないやすいためである。さらに、より潤滑性を考慮すれば、イソアラキン酸（炭素数２０）、イソパルミチン酸（炭素数１６）、イソアラキルアルコール（炭素数２０）、イソパルミチルアルコール（炭素数１６）の中から１種以上選択することが好ましく、特に、前記分岐鎖を有する脂肪酸であるイソアラキン酸（炭素数２０）、イソパルミチン酸（炭素数１６）は、潤滑性を向上しやすいバランスのとれた嵩高い構造を有することで、より高筆圧筆記（５００ｇ）における潤滑性が向上しやすいため好ましく、より考慮すれば、イソアラキン酸（炭素数２０）が最も好ましい。
【００１５】
また、前記炭素数が１４〜２２である 分岐鎖を有する脂肪酸および／または分岐鎖を有する脂肪族アルコールの中には、ドライアップ時の書き出し性能を向上できるものもある。ドライアップ時の書き出し性能を向上するものとしては、上記のイソアラキン酸（炭素数２０）、イソパルミチン酸（炭素数１６）、イソアラキルアルコール（炭素数２０）、イソパルミチルアルコール（炭素数１６）が挙げられ、イソアラキジル基、イソパルミチル基を有すると、ボールペンチップ先端で形成されるインキ被膜を柔らかくする効果があり、ドライアップ時の書き出し性能を向上することができる。その中でも、よりインキ被膜を柔らかくして、ドライアップ時の書き出し性能を考慮すれば、イソアラキジル基を有するイソアラキン酸（炭素数２０）、イソアラキルアルコール（炭素数２０）を用いることが好ましく、最も考慮すれば、イソアラキン酸（炭素数２０）が好ましい。特に、ノック式筆記具や回転繰り出し式筆記具等の出没式筆記具においては、キャップ式筆記具とは異なり、常時ボールペンチップが外部に露出した状態であるため、ドライアップ時の書き出し性能に影響しやすいため、好ましい。
【００１６】
また、前記炭素数が１４〜２２である 分岐鎖を有する脂肪酸および／または分岐鎖を有する脂肪族アルコールの含有量は、インキ組成物全量に対し、０．１質量％より少ないと、高筆圧筆記（５００ｇ）における潤滑効果やドライアップ時の書き出し効果が得られないおそれがあり、１０．０質量％を越えると、インキ経時安定性に影響するおそれがあるため、インキ組成物全量に対し、０．１〜１０．０質量％が好ましく、より高筆圧筆記（５００ｇ）における潤滑性を考慮すれば、０．５〜１０．０質量％が好ましく、さらに、インキ経時安定性などを考慮すれば、１．０〜５．０質量％が最も好ましい。
【００１７】
本発明に用いる有機溶剤としては、芳香族アルコール溶剤を用いることが好ましい。これは、前記炭素数が１４〜２２である分岐鎖を有する脂肪酸および／または分岐鎖を有する脂肪族アルコールを溶解安定し、長期間インキ経時安定性が得られやすく、さらに、芳香環を有することで潤滑性も向上しやすいため、好ましい。
【００１８】
また、芳香族アルコール溶剤以外としては、グリコールエーテル溶剤を用いると、吸湿しやすいため、形成された被膜を和らげ、ドライアップ時の書き出し性能も向上しやすいため、好ましい。そのため、本発明では、グリコールエーテル溶剤と芳香族アルコール溶剤を併用して用いることが好ましい。特に、潤滑性を向上することを考慮すれば、芳香環を有することが好ましいので、芳香族グリコールエーテル溶剤と芳香族アルコール溶剤を併用することが好ましい。
【００１９】
本発明に用いる有機溶剤としては、芳香族アルコール溶剤の具体例としては、ベンジルアルコール、フェニルエチルアルコール、メチルフェニルカルビノール、フタリルアルコール等があげられる。また、グリコールエーテル溶剤の具体例としては、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３−メトキシブタノール、３−メトキシ−３−メチルブタノール等が挙げられ、これらの有機溶剤は、１種又は２種以上用いることができる。
【００２０】
また、有機溶剤の含有量は、溶解性、筆跡乾燥性、にじみ等を向上することを考慮すると、インキ組成物全量に対し、１０．０〜７０．０質量％が好ましい。また、グリコールエーテル溶剤の含有量は、チップ先端での乾燥性を考慮すれば、全有機溶剤に対し、１０．０〜５０．０質量％が好ましく、より好ましくは１０．０〜３０．０質量％である。
【００２１】
本発明に用いる着色剤は、染料、顔料等、特に限定されるものではなく、適宜選択して使用することができる。染料としては、油溶性染料、酸性染料、塩基性染料、含金染料などや、それらの各種造塩タイプの染料等として、酸性染料と塩基性染料との造塩染料、有機酸と塩基性染料との造塩染料、酸性染料と有機アミンとの造塩染料などの種類が挙げられる。これらの染料は、単独又は２種以上組み合わせて使用してもかまわない。
【００２２】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、ＤＰＰ系、キノフタロン系、スレン系、トリフェニルメタン系、ペリノン系、ペリレン系、ギオキサジン系、メタリック顔料、パール顔料、蛍光顔料、蓄光顔料等が挙げられる。潤滑性を考慮すれば、顔料を含有することが好ましい。これは、顔料を用いることで、ボールとチップ本体の隙間に顔料粒子が入り込むことで、ベアリングのような作用が働きやすく、金属接触を抑制することで、潤滑性を向上し、ボール座の摩耗を抑制する効果が得られやすいためである。特に、潤滑性の向上を考慮すれば、カーボンブラックを用いる方が好ましい。また、ボールペンチップ内部の隙間関係を考慮し、平均粒子径は、３００ｎｍ以下が好ましい。より好ましくは、１５０ｎｍ以下である。ここで、平均粒子径とは、体積基準の累積５０％平均粒径（Ｄ５０）のことである。平均粒子径の測定は、例えば、レーザー回折法、マイクロトラック粒度分布測定装置（日機装社製）によって測定できる。これらの顔料は、単独又は２種以上組み合わせて使用してもかまわない。
【００２３】
本発明では、粘度調整剤として樹脂を用いても良く、具体的には、ポリビニルブチラール樹脂、ポリアセタール樹脂、ポリビニルアルコール樹脂、セルロース樹脂、ポリビニルピロリドン樹脂、ケトン樹脂、テルペン樹脂、アルキッド樹脂、フェノキシ樹脂、ポリ酢酸ビニル樹脂などが挙げられる。その中でも、ケトン樹脂は、前記炭素数が１４〜２２である分岐鎖を有する脂肪酸および／または分岐鎖を有する脂肪族アルコールとの相性が良く、本発明の特徴である潤滑性やドライアップ時の書き出し性能を阻害することなく、より高筆圧筆記（５００ｇ）における潤滑性を向上しやすく、ボール座の摩耗を抑制しやすいため好ましい。
【００２４】
さらに、ケトン樹脂については、水酸基価が２５０（ｍｇＫＯＨ／ｇ）以上であることが好ましい、これは、２５０（ｍｇＫＯＨ／ｇ）以上であると、アルコール溶剤やグリコール溶剤に溶解しやすいためで、より溶解性を考慮すれば、ケトン樹脂の水酸基価が３００（ｍｇＫＯＨ／ｇ）以上であることが好ましい。
【００２５】
前記樹脂の含有量は、インキ組成物全量に対し、３．０質量％より少ないと、インキ垂れ下がり性能が劣りやすく、４０．０質量％を越えると、潤滑性、ドライアップ時の書き出し性能、インキ中で溶解性が劣りやすいため、インキ組成物全量に対し、３．０〜４０．０質量％が好ましい。さらに、潤滑性、書き出し性能、インキ垂れ下がり性能を考慮すれば、５．０質量％以上が好ましく、３０．０質量％を越えると、インキ粘度が高くなりすぎて潤滑性に影響する傾向があるため、５．０〜３０．０質量％が好ましい。
【００２６】
本発明においては、リン酸エステル系界面活性剤を含んでなることが好ましい。これは、リン酸エステル系界面活性剤において、リン酸基がボールペンチップのボールやチップ本体の金属表面と作用しやすく、潤滑膜を形成し、ボールペンチップのボール座の摩耗抑制をより向上しやすいためである。特に、本発明では、前記炭素数が１４〜２２である分岐鎖を有する脂肪酸および／または分岐鎖を有する脂肪族アルコールによって形成される吸着膜だけでなく、リン酸エステル系界面活性剤によって形成される潤滑膜の両方の作用によって、より高筆圧筆記（５００ｇ）における潤滑性を向上しやすく、ボール座の摩耗を抑制しやすいため好ましい。
【００２７】
リン酸エステル系界面活性剤としては、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられ、前記リン酸エステル系界面活性剤のアルキル基は、スチレン化フェノール系、ノニルフェノール系、ラウリルアルコール系、トリデシルアルコール系、オクチルフェノール系などが挙げられる。これらのリン酸エステル系界面活性剤は、単独又は２種以上混合して使用してもよい。その中でも、潤滑性を考慮すれば、アルキル基に含まれる炭素数が８〜１８であることが好ましく、さらにインキ経時安定性を考慮すれば、前記炭素数が１０〜１８であることがより好ましく、最も好ましくは、高筆圧筆記（５００ｇ）におけるボール座の摩耗を抑制しやすいため、前記炭素数１２〜１８である。アルキル基の炭素数が過度に少ないと、潤滑性が不足しやすい傾向があり、炭素数が過度に多いと、インキ経時安定性に影響が出やすい傾向があるので注意が必要である。
【００２８】
さらに、リン酸エステル系界面活性剤は、ボールペンチップ先端で形成されるインキ被膜を柔らかくする傾向があり、ドライアップ時の書き出し性能を改良できることがある。特に、ノック式筆記具や回転繰り出し式筆記具等の出没式筆記具においては、キャップ式筆記具とは異なり、常時ボールペンチップが外部に露出した状態であるため、ドライアップ時の書き出し性能に影響が出やすいため、リン酸エステル系界面活性剤を用いることがより好ましい。
そのため、高筆圧筆記（５００ｇ）におけるボール座の摩耗抑制をし、さらに、ドライアップ時の書き出し性能を向上するには、前記炭素数が１４〜２２である分岐鎖を有する脂肪酸および／または分岐鎖を有する脂肪族アルコールと、リン酸エステル系界面活性剤とを併用すると、より効果的であるため、好ましい。
【００２９】
また、リン酸エステル系界面活性剤の含有量は、インキ組成物全量に対し、０．１〜５．０質量％がより好ましい。これは、０．１質量％より少ないと、所望の潤滑性が得られにくい傾向があり、５．０質量％を越えると、インキが経時的に不安定性になりやすい傾向があるためであり、その傾向を考慮すれば、インキ組成物全量に対し、０．３〜３．０質量％が好ましく、より考慮すれば、０．５〜３．０質量％が、最も好ましい。
【００３０】
リン酸エステル系界面活性剤の具体例としては、プライサーフシリーズ（第一工業製薬（株））の中から、プライサーフＡ２１７Ｅ（アルキル基：炭素数１４）、同Ａ２１９Ｂ（アルキル基：炭素数１２）、同Ａ２１５Ｃ（アルキル基：炭素数１２）、同Ａ２０８Ｂ（アルキル基：炭素数１２）、同Ａ２０８Ｎ（アルキル基：炭素数１２と１３の混合物）、フォスファノールシリーズ（東邦化学工業（株）製）の中から、フォスファノールＲＢ４１０（アルキル基：炭素数１８）、同ＲＳ−６１０（アルキル基：炭素数１２〜１５）、同ＲＳ−７１０（アルキル基：炭素数１３）等が挙げられる。これらの界面活性剤は単独又は２種以上混合して使用してもよい。
【００３１】
本発明の油性ボールペン用インキ組成物のインキ粘度は、特に限定されるものではないが、２０℃、剪断速度５００ｓｅｃ−１におけるインキ粘度が１０ｍＰａ・ｓ未満の場合では、筆跡に滲みやインキ垂れ下がりの影響が出やすいため、また、２０℃、剪断速度５００ｓｅｃ−１におけるインキ粘度が３００００ｍＰａ・ｓを超えると、筆記時のボール回転抵抗が大きくなり、潤滑性に影響が出やすい。そのため、２０℃、剪断速度５００ｓｅｃ−１におけるインキ粘度は、１０〜３００００ｍＰａ・ｓが好ましい。より潤滑性の向上を考慮すれば、１０〜２００００ｍＰａ・ｓが好ましく、最も好ましくは、５００〜１５０００ｍＰａ・ｓである。
【００３２】
さらに、本発明の油性ボールペン用インキ組成物に、前記 分岐鎖を有する脂肪酸および／または分岐鎖を有する脂肪族アルコールや界面活性剤などを中和する目的で有機アミンを用いることが好ましい。有機アミンについては、オキシエチレンアルキルアミン、ポリオキシエチレンアルキルアミン等や、ラウリルアミン、ステアリルアミン、ジステアリルアミン、ジメチルラウリルアミン、ジメチルステアリルアミン、ジメチルオクチルアミン等のアルキルアミン等が挙げられる。これらは、単独又は２種以上混合して使用してもよい。
【００３３】
本発明で用いる有機アミンについては、該有機アミンの全アミン価は、７０〜３００（ｍｇＫＯＨ /ｇ）の範囲が好ましい。これは、３００（ｍｇＫＯＨ /ｇ）を超えると、反応性が強いため、インキ中の他成分と反応し易いため、インキ経時安定性が劣りやすい。また、全アミン価が、７０（ｍｇＫＯＨ /ｇ）未満であると、界面活性剤に対する中和が不十分になり、インキ経時安定性に影響が出やすく、さらに、ボールやチップ本体などの金属表面への吸着性が劣りやすく、所望の潤滑性能が得られにくい。より上記のようなインキ経時安定性や潤滑性をより考慮すれば、１００〜３００（ｍｇＫＯＨ/ｇ）の範囲が好ましく、より考慮すれば、１５０〜２７０（ｍｇＫＯＨ /ｇ）が好ましい。なお、全アミン価については、１級、２級、３級アミンの総量を示すもので、試料１ｇを中和するのに要する塩酸に当量の水酸化カリウムのｍｇ数で表すものとする。
【００３４】
オキシエチレンアルキルアミン、ポリオキシエチレンアルキルアミンとしては、具体的には、ナイミーンＬ−２０１（全アミン価：２３２〜２４６、２級アミン）、同Ｌ−２０２（全アミン価：１９２〜２１２、３級アミン）、同Ｌ−２０７（全アミン価：１０７〜１１９、３級アミン）、同Ｓ−２０２（全アミン価：１５２〜１６６、３級アミン）、同Ｓ−２０４（全アミン価：１２０〜１３４、３級アミン）、同Ｓ−２１０（全アミン価：７５〜８５、３級アミン）、同ＤＴ−２０８（全アミン価：１４６〜１８０、３級アミン）（日本油脂（株）社製）等が挙げられる。アルキルアミンとしては、具体的には、ファーミン８０（全アミン価：２０４〜２１０、１級アミン）、ファーミンＤ８６（全アミン価：１１０〜１１９、２級アミン）、ファーミンＤＭ２０９８（全アミン価：２５４〜２６５、３級アミン）、ファーミンＤＭ８６８０（全アミン価：１８６〜１９７、３級アミン）（花王（株））等が挙げられる。これらは、単独又は２種以上混合して使用してもよい。
【００３５】
前記有機アミンの含有量は、潤滑性や経時安定性を考慮すると、インキ組成物全量に対し、０．１〜１０．０質量％が好ましく、より好ましくは、０．５〜５．０質量％である。
【００３６】
また、その他として、潤滑性やインキ経時安定性を向上させるために、界面活性剤として、フッ素系界面活性剤、シリコーン系界面活性剤、脂肪酸アルカノールアミド、陰イオン性界面活性剤、陽イオン性界面活性剤、両性界面活性剤や、陰イオン性界面活性剤および／または陽イオン性界面活性剤の造塩体を、粘度調整剤として、脂肪酸アマイド、水添ヒマシ油などの擬塑性付与剤を、曳糸性付与剤としてポリビニルピロリドン、また、着色剤安定剤、可塑剤、キレート剤、水などを適宜用いても良い。これらは、単独又は２種以上組み合わせて使用してもかまわない。
【００３７】
また、ボ−ルペンチップの材料は、ステンレス鋼、洋白、ブラス（黄銅）、アルミニウム青銅、アルミニウムなどの金属材、ポリカーボネート、ポリアセタール、ＡＢＳなどの樹脂材が挙げられるが、潤滑性や切削等の加工性を考慮すれば洋白製のチップ本体が好ましく、ボール座の摩耗、経時安定性を考慮するとステンレス製のチップ本体とすることが好ましい。
【００３８】
また、ボールに用いる材料は、特に限定されるものではないが、タングステンカーバイドを主成分とする超硬合金ボール、ステンレス鋼などの金属ボール、炭化珪素、窒化珪素、アルミナ、シリカ、ジルコニアなどのセラミックスボール、ルビーボールなどが挙げられる。また、ボールの直径は、特に限定されないが、一般的には０．２５ｍｍ〜２．０ｍｍ程度である。
【００３９】
また、本発明で用いるボール表面の算術平均粗さ（Ｒａ）については、０．１〜１５ｎｍとすることが好ましい。これは、算術平均粗さ（Ｒａ）が０．１ｎｍ未満だと、ボール表面に十分にインキが載りづらく、筆跡に線とび、カスレが発生しやすく、算術平均粗さ（Ｒａ）が１５ｎｍを越えると、ボール表面が粗すぎて、ボールとボール座の回転抵抗が大きいため、潤滑性に影響しやすいためで、より考慮すれば、３〜１３ｎｍとすることが好ましく、より好ましくは、３〜１０ｎｍである。
なお、表面粗さの測定は（セイコーエプソン社製の機種名ＳＰＩ３８００Ｎ）で求めることができる。 
【００４０】
実施例１ 
実施例１の油性ボールペン用インキ組成物は、着色剤として染料、有機溶剤としてベンジルアルコール、エチレングリコールモノフェニルエーテル、分岐鎖を有する脂肪酸としてイソアラキン酸、潤滑剤としてリン酸エステル系界面活性剤、有機アミンとしてオキシエチレンアルキルアミン、粘度調整剤としてケトン樹脂および脂肪酸アマイド、曳糸性付与剤としてポリビニルピロリドンを採用し、これを所定量秤量して、６０℃に加温した後、ディスパー攪拌機を用いて完全溶解させて油性ボールペン用インキ組成物を得た。具体的な配合量は下記の通りである。尚、ティー・エイ・インスツルメント株式会社製ＡＲ−Ｇ２（ステンレス製４０ｍｍ２°ローター）を用いて２０℃の環境下で、剪断速度５００ｓｅｃ−１にてインキ粘度を測定したところ、１５０００ｍＰａ・ｓであった。
【００４１】
着色剤（造塩染料）                                 ２０．０質量％ 
有機溶剤（ベンジルアルコール）                     １９．０質量％ 
有機溶剤（エチレングリコールモノフェニルエーテル） ２８．５質量％ 
分岐鎖を有する脂肪酸（イソアラキン酸）               ３．０質量％ 
潤滑剤（リン酸エステル系界面活性剤）                 １．０質量％ 
有機アミン（オキシエチレンアルキルアミン）           ２．０質量％ 
粘度調整剤（ケトン樹脂）                           ２４．０質量％ 
粘度調整剤（脂肪酸アマイド）                         ２．０質量％ 
曳糸性付与剤（ポリビニルピロリドン樹脂）             ０．５質量％ 
【００４２】
実施例２〜９ 
表に示すように、各成分を変更した以外は、実施例１と同様な手順で実施例２〜９の油性ボールペン用インキ組成物を得た。
【表１】
0006691356.tif 000002
【００４３】
比較例１〜６  
表に示すように、各成分を変更した以外は、実施例１と同様の手順で、配合し、比較例１〜６の油性ボールペン用インキ組成物を得た。
【表２】
0006691356.tif 000003
【００４４】
試験及び評価  
実施例１〜９及び比較例１〜６で作製した油性ボールペン用インキ組成物（０．２９ｇ）を、インキ収容筒（ポリプロピレン）に、ボール表面の算術平均粗さ（Ｒａ）８ｎｍのボール径がφ１．０ｍｍのボールを回転自在に抱持したボールペン用チップ（ステンレス綱線）を装着したボールペン用レフィルに充填し、油性ボールペンを作製した。筆記試験用紙として筆記用紙ＪＩＳ  Ｐ３２０１を用いて以下の試験及び評価を行った。 
【００４５】
高筆圧筆記試験：荷重５００ｇｆ、筆記角度７０°、４ｍ／ｍｉｎの走行試験機にて筆記試験後のボール座の摩耗を測定し、筆跡を観察した。
ボール座の摩耗が５μｍ未満で、筆跡良好のもの                  ・・・◎ 
ボール座の摩耗が５μｍ以上、１０μｍ未満で、筆跡良好のもの    ・・・○ 
ボール座の摩耗が１０μｍ以上、２０μｍ未満であるが、筆跡に線飛び・カスレがあるが実用上問題ないレベルのもの                        ・・・△
ボール座の摩耗がひどく、筆跡に線飛び・カスレがひどいもの      ・・・× 
【００４６】
ドライアップ性能試験：手書き筆記した後、チップ先端を出したまま２０℃、６５％ＲＨの環境下に２４時間放置し、その後、走行試験で下記筆記条件にて筆記し、書き出しにおける筆跡カスレを評価した。
＜筆記条件＞筆記荷重２００ｇｆ、筆記角度７０°、筆記速度４ｍ／ｍｉｎの条件で、走行試験機にて直線書きを行い、筆跡カスレ長さを測定し、評価した。
筆跡カスレ５ｍｍ未満であるもの                 ・・・◎
筆跡カスレ５ｍｍ以上、１０ｍｍ未満であるもの   ・・・○
筆跡カスレ１０ｍｍ以上、２０ｍｍ未満であるもの ・・・△
筆跡カスレ２０ｍｍ以上であるもの               ・・・×
【００４７】
実施例１〜９では、高筆圧筆記試験、ドライアップ性能試験ともに良好な性能が得られた。 
【００４８】
実施例１（イソアラキン酸）、実施例４（イソパルミチン酸）、実施例６（イソステアリン酸）、実施例７（イソアラキルアルコール）、実施例８（イソパルミチルアルコール）、実施例９（イソステアリルアルコール）のドライアップ性能試験の筆跡カスレの長さは以下のような結果となった。
＜試験結果＞ 
実施例１（イソアラキン酸）：１．４ｍｍ、実施例４（イソパルミチン酸）：４．８ｍｍ、実施例６（イソステアリン酸）：７．８ｍｍ、実施例７（イソアラキルアルコール）：１．６ｍｍ、実施例８（イソパルミチルアルコール）：３．２ｍｍ、実施例９（イソステアリルアルコール）：８．８ｍｍという結果となった。
以上の結果より、イソアラキジル基、イソパルミチル基を有すると、ドライアップ性能については、有利である結果となり、特にイソアラキジル基を有すると、最も効果的であることが分かった。
【００４９】
比較例１〜６では、 分岐鎖を有する脂肪酸および／または分岐鎖を有する脂肪族アルコールを含有していないため、高筆圧筆記試験ではボール座の摩耗がひどく、筆跡に線飛び・カスレがひどく、ドライアップ性能試験も劣ってしまった。
【００５０】
本発明のように、潤滑性を向上するために、２０℃、剪断速度５００ｓｅｃ−１におけるインキ粘度を、５００〜１５０００ｍＰａ・ｓの範囲に設定する場合には、インキの垂れ下がり防止やドライアップ時の書き出し性能を向上するために、ボールペンチップ先端に回転自在に抱持したボールを、コイルスプリングにより直接又は押圧体を介してチップ先端縁の内壁に押圧して、筆記時の押圧力によりチップ先端縁の内壁とボールに間隙を与えインキを流出させる弁機構を具備し、チップ先端の微少な間隙も非使用時に閉鎖することが好ましい。
【産業上の利用可能性】
【００５１】
本発明は油性ボールペンとして利用でき、さらに詳細としては、該油性ボールペン用インキ組成物を充填した、キャップ式、ノック式等の水性ボールペンとして広く利用することができる。